(57)【要約】  ＭＴＣまたはセルラーモノのインターネットシステム（ＣＩｏＴ）におけるページングプロシージャを通しての小データパケットの送信のための技法が提供される。コアネットワークが、ユーザ機器（ＵＥ）に送信されるデータを受信し得、データのために小データパケット送信が開始され得ると決定し得る。コアネットワークは、小データパケットを、データとＵＥ識別情報とを含むページング要求にフォーマットし、ページング要求を基地局に送信し得る。基地局は、ページング要求を受信し、ＵＥとのページプロセスを開始し得る。ＵＥは、ページメッセージを受信し、小データの送信のために使用され得るアクセスプロシージャを開始し得る。ＵＥは、小データ送信より前にアイドルモードにあり得、いくつかの例では、小データの送信に続いてアイドルモードに戻り得る。
2018518117.tif 000002
【特許請求の範囲】
【請求項１】
ワイヤレス通信のための方法であって、
ユーザ機器（ＵＥ）に送信される小データパケットを受信することと、
前記小データパケットをページング要求にフォーマットすることと、前記ページング要求がＵＥ識別情報と前記小データパケットとを含む、
前記ページング要求を１つまたは複数の基地局に送信することと
を備える、方法。
【請求項２】
前記小データパケットの配信の確認が受信されたかどうかを決定することと、
定義された時間期間内に前記確認がない場合、前記ページング要求を前記１つまたは複数の基地局に再送信することと
をさらに備える、請求項１に記載の方法。
【請求項３】
前記小データパケットを前記ページング要求に前記フォーマットすることが、制御プレーンデータ暗号化鍵または制御プレーンデータ完全性鍵の一方または両方を適用することを備える、請求項１に記載の方法。
【請求項４】
前記ページング要求は、前記ページング要求が前記小データパケットを含むことを示すヘッダ情報をさらに含む、請求項１に記載の方法。
【請求項５】
前記方法が、発展型パケットコアのエンティティによって実行される、請求項１に記載の方法。
【請求項６】
前記方法が、セルラーモノのインターネット（ＣＩｏＴ）サービングゲートウェイノード（Ｃ−ＳＧＮ）によって実行される、請求項５に記載の方法。
【請求項７】
ワイヤレス通信のための方法であって、
基地局において、ネットワークノードから、ユーザ機器（ＵＥ）に関連するページング要求を受信することと、ここにおいて、前記ページング要求が前記ＵＥのための小データパケットを備える、
ページを前記ＵＥに送信することと、
前記ＵＥからアクセス要求を受信することと、
前記アクセス要求に応答して、前記小データパケットを前記ＵＥに送信することと
を備える、方法。
【請求項８】
前記小データパケットの正確な受信を示す肯定応答を前記ＵＥから受信することと、
前記ネットワークノードに、前記小データパケットが前記ＵＥに配信されたという確認を送信することと
をさらに備える、請求項７に記載の方法。
【請求項９】
前記小データパケットを前記ＵＥに前記送信することが、シグナリング無線ベアラに関連する制御プレーンメッセージ中で前記小データパケットを送信することを含む、請求項７に記載の方法。
【請求項１０】
前記制御プレーンメッセージが、前記アクセス要求を備えるランダムアクセスプロシージャのメッセージを備える、請求項７に記載の方法。
【請求項１１】
前記ランダムアクセスプロシージャにおいて、小データ要求フィールドを備える接続要求メッセージを受信することをさらに備え、
ここにおいて、前記送信することが、前記接続要求メッセージに応答して、接続確立メッセージ中で前記小データパケットを前記ＵＥに送信することを備える、
請求項９に記載の方法。
【請求項１２】
前記ＵＥへの前記ページは、前記小データパケットが送信されるというインジケーションを含む、請求項７に記載の方法。
【請求項１３】
前記アクセス要求が、小データパケットのコネクションレス転送に関連する物理ランダムアクセスチャネル（ＰＲＡＣＨ）リソースのセット上で受信される、請求項７に記載の方法。
【請求項１４】
ワイヤレス通信のための方法であって、
ユーザ機器（ＵＥ）において、基地局からページを受信することと、
前記ページに応答してアクセス要求を前記基地局に送信することによって、ランダムアクセスプロシージャを開始することと、
前記基地局とのデータ接続のための専用無線ベアラのアクティブ化より前に、制御プレーンメッセージ中で小データパケットを受信することと、
前記小データパケットに肯定応答することと
を備える、方法。
【請求項１５】
前記制御プレーンメッセージが、前記ランダムアクセスプロシージャの一部である、請求項１４に記載の方法。
【請求項１６】
前記制御プレーンメッセージが、前記ランダムアクセスプロシージャのランダムアクセス応答メッセージである、請求項１４に記載の方法。
【請求項１７】
接続要求メッセージ中で、小データ要求フィールドを送信することをさらに備え、
ここにおいて、前記小データパケットが、前記接続要求メッセージに応答して送られる接続確立メッセージ中で受信される、
請求項１４に記載の方法。
【請求項１８】
前記アクセス要求が、小データパケットのコネクションレス転送に関連する物理ランダムアクセスチャネル（ＰＲＡＣＨ）リソースのセット上で送信される、請求項１４に記載の方法。
【請求項１９】
通信のための装置であって、
ユーザ機器（ＵＥ）に送信される小データパケットを受信するための手段と、
前記小データパケットをページング要求にフォーマットするための手段と、前記ページング要求がＵＥ識別情報と前記小データパケットとを含む、
前記ページング要求を１つまたは複数の基地局に送信するための手段と
を備える、装置。
【請求項２０】
前記小データパケットの配信の確認が受信されたかどうかを決定するための手段と、
定義された時間期間内に前記確認がない場合、前記ページング要求を前記１つまたは複数の基地局に再送信するための手段と
をさらに備える、請求項１９に記載の装置。
【請求項２１】
前記小データパケットを前記ページング要求にフォーマットするための前記手段が、
制御プレーンデータ暗号化鍵または制御プレーンデータ完全性鍵の一方または両方を適用するための手段
を備える、請求項１９に記載の装置。
【請求項２２】
前記ページング要求は、前記ページング要求が前記小データパケットを含むことを示すヘッダ情報をさらに含む、請求項１９に記載の装置。
【請求項２３】
前記装置が発展型パケットコアのエンティティである、請求項１９に記載の装置。
【請求項２４】
前記装置がセルラーモノのインターネット（ＣＩｏＴ）サービングゲートウェイノード（Ｃ−ＳＧＮ）である、請求項２３に記載の装置。
【発明の詳細な説明】
【技術分野】
【０００１】
相互参照
[0001]本特許出願は、各々が本出願の譲受人に譲渡された、２０１６年６月２日に出願された、「Small Data Transmission in a Wireless Communications System」と題する、Ｇｒｉｏｔらによる米国特許出願第１５／１７２，１１０号、および２０１５年６月１９日に出願された、「Small Data Transmission in a Wireless Communications System」と題する、Ｇｒｉｏｔらによる米国仮特許出願第６２／１８２，４０３号の優先権を主張する。
【０００２】
[0002]以下は、一般にワイヤレス通信に関し、より詳細には、マシンタイプ通信（ＭＴＣ：machine-type-communication）またはセルラーモノのインターネット（ＣＩｏＴ：cellular internet of things）システムにおける小データパケットの送信に関する。
【背景技術】
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システム）がある。
【０００４】
[0004]例として、ワイヤレス多元接続通信システムは、場合によってはユーザ機器（ＵＥ）として知られていることがある、複数の通信デバイスのための通信を各々が同時にサポートする、いくつかの基地局を含み得る。基地局は、（たとえば、基地局からＵＥへの送信のために）ダウンリンクチャネル上でＵＥと通信し、（たとえば、ＵＥから基地局への送信のために）アップリンクチャネル上でＵＥと通信し得る。
【０００５】
[0005]いくつかのＵＥは、自動化された通信を提供し得る。自動化されたＵＥは、マシンツーマシン（Ｍ２Ｍ）通信またはマシンタイプ通信（ＭＴＣ）を実装するものを含み得る。Ｍ２ＭまたはＭＴＣは、デバイスが人の介入なしに互いにまたは基地局と通信することを可能にするデータ通信技術を指すことがある。Ｍ２ＭまたはＭＴＣデバイスは、ＵＥを含み得、セルラーモノのインターネット（ＣＩｏＴ）ネットワークの一部として使用され得る。ＣＩｏＴは、ＬＴＥ／ＬＴＥ−Ａネットワークを使用するＭ２ＭまたはＭＴＣデバイスとの低データレート通信を指すことがある。ＣＩｏＴ中のいくつかのＭ２ＭまたはＭＴＣデバイスは、パーキングメーター、水およびガスメーター、ならびに少量のデータを比較的低頻度で通信し得る他のセンサーを含み得る。
【０００６】
[0006]いくつかの場合には、ＣＩｏＴ中に含む、ＵＥは電力制限デバイスであり得、かなりの量の電力が、無線構成要素に電力供給するために使用され得る。しかしながら、いくつかのＭＴＣデバイスは、比較的低頻度で比較的少量のデータを送信または受信し得る。そのような場合、無線リソース制御（ＲＲＣ）接続を確立することに関連するオーバーヘッドは、少量のデータを送信するために必要とされるリソースに対して、かなりの量のリソースを消費し得る。少量のデータの通信のためにＲＲＣ接続を繰り返し確立することからの電力消費の増加は、ＵＥのバッテリー寿命を低減し、デバイスの有用性を減少させ得る。さらに、少量のデータの送信のためのＲＲＣ接続を確立する際にオーバーヘッドのために使用されるネットワークリソースは、ワイヤレス通信システムの効率を低減し得る。
【発明の概要】
【０００７】
[0007]本開示は、マシンタイプ通信（ＭＴＣ）またはセルラーモノのインターネット（ＣＩｏＴ）システムにおけるページングプロシージャを通しての小データパケットの送信のための改善されたシステム、方法、および／または装置に関する。いくつかの例では、コアネットワークが、ＭＴＣデバイスなど、ユーザ機器（ＵＥ）に送信されるデータを受信し得、データのために小データパケット送信が開始され得ると決定し得る。コアネットワークは、小データパケットを、データを含むページング要求にフォーマットし、ページング要求を基地局に送信し得る。基地局は、ページング要求を受信し、ＵＥとのページプロセスを開始し得る。いくつかの例では、基地局は、小データ送信が送られることを示すページメッセージをＵＥに送信し得る。ＵＥは、ページメッセージを受信し、小データの送信のために使用され得るアクセスプロシージャを開始し得る。ＵＥは、たとえば、ページメッセージに応答してランダムアクセス要求を基地局に送信し得、基地局は、ＵＥへのランダムアクセス応答メッセージの一部としてデータをＵＥに送信し得る。ＵＥは、小データ送信より前にアイドルモードにあり得、いくつかの例では、小データパケットの送信に続いてアイドルモードに戻り得る。
【０００８】
[0008]ワイヤレス通信の方法が説明される。本方法は、ＵＥに送信される小データパケットを受信することと、小データパケットをページング要求にフォーマットすることと、ページング要求がＵＥ識別情報と小データパケットとを含む、ページング要求を１つまたは複数の基地局に送信することとを含み得る。
【０００９】
[0009]ワイヤレス通信のための装置が説明される。本装置は、ＵＥに送信される小データパケットを受信するための手段と、小データパケットをページング要求にフォーマットするための手段と、ページング要求がＵＥ識別情報と小データパケットとを含む、ページング要求を１つまたは複数の基地局に送信するための手段とを含み得る。
【００１０】
[0010]ワイヤレス通信のためのさらなる装置が説明される。本装置は、プロセッサと、プロセッサと電子通信しているメモリと、メモリに記憶された命令とを含み得、ここにおいて、命令は、ＵＥに送信される小データパケットを受信することと、小データパケットをページング要求にフォーマットすることと、ページング要求がＵＥ識別情報と小データパケットとを含む、ページング要求を１つまたは複数の基地局に送信することとを行うためにプロセッサによって実行可能である。
【００１１】
[0011]ワイヤレス通信のためのコードを記憶する非一時的コンピュータ可読媒体が説明される。コードは、ＵＥに送信される小データパケットを受信することと、小データパケットをページング要求にフォーマットすることと、ページング要求がＵＥ識別情報と小データパケットとを含む、ページング要求を１つまたは複数の基地局に送信することとを行うために実行可能な命令を含み得る。
【００１２】
[0012]上記で説明された方法、装置、または非一時的コンピュータ可読媒体のいくつかの例は、小データパケットの配信の確認が受信されたかどうかを決定することと、定義された時間期間内に確認がない場合、ページング要求を１つまたは複数の基地局に再送信することとをさらに含み得る。
【００１３】
[0013]小データパケットをページング要求にフォーマットする説明された方法、装置、または非一時的コンピュータ可読媒体のいくつかの例は、制御プレーンデータ暗号化鍵または制御プレーンデータ完全性鍵の一方または両方を適用することを備える。追加または代替として、いくつかの例では、ページング要求は、ページング要求が小データパケットを含むことを示すヘッダ情報をさらに含む。
【００１４】
[0014]上記で説明された方法、装置、または非一時的コンピュータ可読媒体のいくつかの例では、本方法は、発展型パケットコアのエンティティによって実行される。追加または代替として、いくつかの例では、本方法は、ＣＩｏＴサービングゲートウェイノード（Ｃ−ＳＧＮ：CIoT serving gateway node）によって実行される。
【００１５】
[0015]ワイヤレス通信の方法が説明される。本方法は、基地局において、ネットワークノードから、ＵＥに関連するページング要求を受信することと、ここにおいて、ページング要求がＵＥのための小データパケットを備える、ページをＵＥに送信することと、ＵＥからアクセス要求を受信することと、アクセス要求に応答して、小データパケットをＵＥに送信することとを含み得る。
【００１６】
[0016]ワイヤレス通信のための装置が説明される。本装置は、基地局において、ネットワークノードから、ＵＥに関連するページング要求を受信するための手段と、ここにおいて、ページング要求がＵＥのための小データパケットを備える、ページをＵＥに送信するための手段と、ＵＥからアクセス要求を受信するための手段と、アクセス要求に応答して、小データパケットをＵＥに送信するための手段とを含み得る。
【００１７】
[0017]ワイヤレス通信のためのさらなる装置が説明される。本装置は、プロセッサと、プロセッサと電子通信しているメモリと、メモリに記憶された命令とを含み得、ここにおいて、命令は、基地局において、ネットワークノードから、ＵＥに関連するページング要求を受信することと、ここにおいて、ページング要求がＵＥのための小データパケットを備える、ページをＵＥに送信することと、ＵＥからアクセス要求を受信することと、アクセス要求に応答して、小データパケットをＵＥに送信することとを行うためにプロセッサによって実行可能である。
【００１８】
[0018]ワイヤレス通信のためのコードを記憶する非一時的コンピュータ可読媒体が説明される。コードは、基地局において、ネットワークノードから、ＵＥに関連するページング要求を受信することと、ここにおいて、ページング要求がＵＥのための小データパケットを備える、ページをＵＥに送信することと、ＵＥからアクセス要求を受信することと、アクセス要求に応答して、小データパケットをＵＥに送信することとを行うために実行可能な命令を含み得る。
【００１９】
[0019]上記で説明された方法、装置、または非一時的コンピュータ可読媒体のいくつかの例は、小データパケットの正確な受信を示す肯定応答をＵＥから受信することと、ネットワークノードに、小データパケットがＵＥに配信されたという確認を送信することとをさらに含み得る。
【００２０】
[0020]小データパケットをＵＥに送信する説明された方法、装置、または非一時的コンピュータ可読媒体のいくつかの例は、シグナリング無線ベアラに関連する制御プレーンメッセージ中で小データパケットを送信することを含む。追加または代替として、いくつかの例では、制御プレーンメッセージは、アクセス要求を備えるランダムアクセスプロシージャのメッセージを備える。
【００２１】
[0021]上記で説明された方法、装置、または非一時的コンピュータ可読媒体のいくつかの例は、ランダムアクセスプロシージャにおいて、小データ要求フィールドを備える接続要求メッセージを受信することをさらに含み得る。上記で説明された方法、装置、または非一時的コンピュータ可読媒体のいくつかの例では、送信することは、接続要求メッセージに応答して、接続確立メッセージ中で小データパケットをＵＥに送信することを備える。
【００２２】
[0022]上記で説明された方法、装置、または非一時的コンピュータ可読媒体のいくつかの例では、ＵＥへのページは、小データパケットが送信されるというインジケーションを含む。追加または代替として、いくつかの例では、アクセス要求は、小データパケットのコネクションレス（connectionless）転送に関連する物理ランダムアクセスチャネル（ＰＲＡＣＨ：physical random access channel）リソースのセット上で受信される。
【００２３】
[0023]ワイヤレス通信の方法が説明される。本方法は、ＵＥにおいて、基地局からページを受信することと、ページに応答してアクセス要求を基地局に送信することによって、ランダムアクセスプロシージャを開始することと、基地局とのデータ接続のための専用無線ベアラのアクティブ化より前に、制御プレーンメッセージ中で小データパケットを受信することと、小データパケットに肯定応答することとを含み得る。
【００２４】
[0024]ワイヤレス通信のための装置が説明される。本装置は、ユーザ機器（ＵＥ）において、基地局からページを受信するための手段と、ページに応答してアクセス要求を基地局に送信することによって、ランダムアクセスプロシージャを開始するための手段と、基地局とのデータ接続のための専用無線ベアラのアクティブ化より前に、制御プレーンメッセージ中で小データパケットを受信するための手段と、小データパケットに肯定応答するための手段とを含み得る。
【００２５】
[0025]ワイヤレス通信のためのさらなる装置が説明される。本装置は、プロセッサと、プロセッサと電子通信しているメモリと、メモリに記憶された命令とを含み得、ここにおいて、命令は、ＵＥにおいて、基地局からページを受信することと、ページに応答してアクセス要求を基地局に送信することによって、ランダムアクセスプロシージャを開始することと、基地局とのデータ接続のための専用無線ベアラのアクティブ化より前に、制御プレーンメッセージ中で小データパケットを受信することと、小データパケットに肯定応答することとを行うためにプロセッサによって実行可能である。
【００２６】
[0026]ワイヤレス通信のためのコードを記憶する非一時的コンピュータ可読媒体が説明される。コードは、ＵＥにおいて、基地局からページを受信することと、ページに応答してアクセス要求を基地局に送信することによって、ランダムアクセスプロシージャを開始することと、基地局とのデータ接続のための専用無線ベアラのアクティブ化より前に、制御プレーンメッセージ中で小データパケットを受信することと、小データパケットに肯定応答することとを行うために実行可能な命令を含み得る。
【００２７】
[0027]上記で説明された方法、装置、または非一時的コンピュータ可読媒体のいくつかの例では、制御プレーンメッセージは、ランダムアクセスプロシージャの一部である。追加または代替として、いくつかの例では、制御プレーンメッセージは、ランダムアクセスプロシージャのランダムアクセス応答メッセージである。
【００２８】
[0028]上記で説明された方法、装置、または非一時的コンピュータ可読媒体のいくつかの例は、接続要求メッセージ中で、小データ要求フィールドを送信することをさらに含み得る。追加または代替として、いくつかの例では、小データパケットは、接続要求メッセージに応答して送られる接続確立メッセージ中で受信される。
【００２９】
[0029]上記で説明された方法、装置、または非一時的コンピュータ可読媒体のいくつかの例では、アクセス要求は、小データパケットのコネクションレス転送に関連する物理ランダムアクセスチャネル（ＰＲＡＣＨ）リソースのセット上で送信される。
【００３０】
[0030]上記は、以下の発明を実施するための形態がより良く理解され得るように、本開示による例の特徴および技術的利点についてやや広く概説した。追加の特徴および利点が以下で説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特徴、それらの編成と動作方法の両方は、関連する利点とともに、添付の図に関連して以下の説明を検討するとより良く理解されよう。図の各々は、例示および説明の目的でのみ与えられるものであり、特許請求の範囲の制限の定義として与えられるものではない。
【００３１】
[0031]本開示の態様は、以下の図を参照して説明される。
【図面の簡単な説明】
【００３２】
【図１】[0032]本開示の様々な態様による、ワイヤレス通信システムにおける小データ送信をサポートするワイヤレス通信システムの一例を示す図。
【図２】[0033]本開示の様々な態様による、ワイヤレス通信システムにおける小データ送信をサポートするワイヤレス通信サブシステムの一例を示す図。
【図３】[0034]本開示の様々な態様による、ワイヤレス通信システムにおける小データ送信をサポートするワイヤレス通信システムの一例を示す図。
【図４】[0035]本開示の様々な態様による、ワイヤレス通信システムにおける小データ送信をサポートするプロセスフローの一例を示す図。
【図５】[0036]本開示の様々な態様による、ワイヤレス通信システムにおける小データ送信をサポートするプロセスフローの別の例を示す図。
【図６】[0037]本開示の様々な態様による、ワイヤレス通信システムにおける小データ送信をサポートするプロセスフローの別の例を示す図。
【図７】[0038]本開示の様々な態様による、ワイヤレス通信システムにおける小データ送信をサポートするデバイスのブロック図。
【図８】[0039]本開示の様々な態様による、ワイヤレス通信システムにおける小データ送信をサポートする、基地局または他の無線アクセスノードなど、ワイヤレスデバイスのブロック図。
【図９】[0040]本開示の様々な態様による、ワイヤレス通信システムにおける小データ送信をサポートする基地局を含むシステムのブロック図。
【図１０】[0041]本開示の様々な態様による、ワイヤレス通信システムにおける小データ送信をサポートする、ＵＥなど、ワイヤレスデバイスのブロック図。
【図１１】[0042]本開示の様々な態様による、ワイヤレス通信システムにおける小データ送信をサポートするＵＥを含むシステムのブロック図。
【図１２】[0043]本開示の様々な態様による、ワイヤレス通信システムにおける小データ送信のための方法を示す図。
【図１３】本開示の様々な態様による、ワイヤレス通信システムにおける小データ送信のための方法を示す図。
【図１４】本開示の様々な態様による、ワイヤレス通信システムにおける小データ送信のための方法を示す図。
【発明を実施するための形態】
【００３３】
[0044]説明される特徴は、一般に、ＭＴＣまたはセルラーモノのインターネットシステム（ＣＩｏＴ）におけるページングプロシージャを通しての小データパケットの送信のための改善されたシステム、方法、または装置に関する。上記で説明されたように、いくつかのワイヤレスシステムは、ＭＴＣまたはマシンツーマシン（Ｍ２Ｍ）通信などの自動化された通信を提供し得る。Ｍ２ＭまたはＭＴＣは、人の介入なしに通信し、ＣＩｏＴにおいて動作し得る技術を指すことがある。いくつかの場合には、ＭＴＣデバイスは、制限された能力を有し得る。たとえば、いくつかのＭＴＣデバイスはブロードバンド能力を有し得、他のＭＴＣデバイスは狭帯域通信に制限され得る。この狭帯域制限は、たとえば、基地局によってサービスされる全帯域幅を使用して制御チャネル情報を受信するＭＴＣデバイスの能力に干渉し得る。ロングタームエボリューション（ＬＴＥ）など、いくつかのワイヤレス通信システムでは、制限された帯域幅能力を有するＭＴＣデバイス（または同様の能力をもつ別のデバイス）は、カテゴリ０デバイスと呼ばれることがある。
【００３４】
[0045]上記で説明されたように、いくつかの場合には、ＭＴＣデバイスは、比較的低頻度で比較的少量のデータを送信または受信し得る。そのような場合、無線リソース制御（ＲＲＣ）接続を確立することに関連するオーバーヘッドは、少量のデータを送信するために必要とされるリソースに対して、かなりの量のリソースを消費し得る。少量のデータの通信のためにＲＲＣ接続を繰り返し確立することからの電力消費の増加は、ＵＥのバッテリー寿命を低減し、デバイスの有用性を減少させ得る。さらに、少量のデータの送信のためのＲＲＣ接続を確立する際にオーバーヘッドのために使用されるネットワークリソースは、ワイヤレス通信システムの効率を低減し得る。本開示の様々な態様は、小データのコネクションレス送信を提供し、そこにおいて、比較的少量のデータが、ＲＲＣ接続を確立することなしに送信され得、したがって、ＵＥが小データを受信する間にアイドルモードのままであることを可能にする。そのような技法は、オーバーヘッドが低減されたそのような小データの効率的な送信を提供し得、したがってワイヤレス通信システムの総合効率を向上させ得る。
【００３５】
[0046]本開示で使用される小データ送信または小データパケットは、ランダムアクセスメッセージまたは他の接続確立メッセージのペイロード中で送信され得るデータの量を指す。たとえば、最大ランダムアクセスメッセージペイロードが１４４ビットを含み得る場合、対応する小データ送信または小データパケットは、１４４ビットまたはより少ないビットを含み得る。小データ送信または小データパケット中に含まれ得るデータの量は、特定のワイヤレス通信システムのためのシステム構成と、小データ送信または小データパケットの送信のために使用されるメッセージペイロード中に含まれ得るデータの量とに依存し得る。いくつかの例では、データの量が小データ送信または小データパケットについてのサイズ限界を超える場合、データは、２つまたはそれ以上の連続するコネクションレス送信中で送信され得る。
【００３６】
[0047]いくつかの例では、ＣＩｏＴサービングゲートウェイノード（Ｃ−ＳＧＮ）など、コアネットワーク構成要素が、ＭＴＣデバイスなど、ユーザ機器（ＵＥ）に送信されるデータを受信し得、データのために小データパケット送信が開始され得ると決定し得る。コアネットワークは、小データパケットを、ページング情報とデータとを組み合わせるページング要求にフォーマットし、ページング要求を基地局に送信し得る。基地局は、ページング要求を受信し、ＵＥとのページプロセスを開始し得る。いくつかの例では、基地局は、小データ送信が送られることを示すページメッセージをＵＥに送信し得る。ＵＥは、ページメッセージを受信し、小データの送信のために使用され得るアクセスプロシージャを開始し得る。ＵＥは、たとえば、ページメッセージに応答してランダムアクセス要求を基地局に送信し得、基地局は、ＵＥへのランダムアクセス応答メッセージの一部としてデータをＵＥに送信し得る。
【００３７】
[0048]いくつかの例では、３メッセージプロシージャが使用され得、そこにおいて、基地局が、専用プリアンブル割当てをもつページング要求を送信し得る。ＵＥは、次いで、専用プリアンブル割当てを使用して、物理ランダムアクセスチャネル（ＰＲＡＣＨ）上で送信し得る。基地局は、次いで、ランダムアクセス応答（ＲＡＲ）メッセージ中で、小データパケットを与え得る。他の例では、５メッセージプロシージャが使用され得、そこにおいて、基地局が、小データインジケーションを含み得、専用プリアンブル割当てを含むことも含まないこともあるページング要求を送信し得る。ＵＥは、ページング要求を受信し、確立された３メッセージＲＲＣ接続確立プロシージャに対応し得るＲＲＣ接続確立プロシージャを実行し得る。ＵＥは、ＲＲＣ接続確立プロシージャの一部として、（たとえば、確立されたＲＲＣ接続プロシージャのＭＳＧ１またはＭＳＧ３中で）小データ接続要求を示し得る。基地局は、次いで、ＵＥに送信されるＲＲＣ接続メッセージの一部として、（たとえば、確立されたＲＲＣ接続プロシージャのＭＳＧ４中で）小データパケットを与え得る。ＵＥは小データパケットを受信し得、基地局は、次いで、ＵＥが返答を送る必要がある場合、一定の時間の間ＲＲＣ接続を確立された状態に保ち得るか、またはＲＲＣ接続を解放し、ＵＥをアイドルモードに戻し得るかのいずれかである。
【００３８】
[0049]以下の説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。たとえば、シナリオは、ＭＴＣデバイスに関して説明されるが、本明細書で説明される技法は、様々な他のタイプワイヤレス通信デバイスおよびシステムとともに使用され得る。さらに、説明される方法は、説明される順序とは異なる順序で実行され得、様々なステップが追加、省略、または組み合わせられ得る。また、いくつかの例に関して説明される特徴は、他の例において組み合わせられ得る。
【００３９】
[0050]最初に、本開示の態様がワイヤレス通信システムのコンテキストにおいて説明される。次いで、特定の例がＭＴＣにおけるページングを通しての小データ送信について説明される。本開示のこれらおよび他の態様は、さらに、ＭＴＣにおけるページングを通しての小データ送信に関係する装置図、システム図、およびフローチャートによって示され、それらを参照しながら説明される。
【００４０】
[0051]図１は、本開示の様々な態様による、ワイヤレス通信システム１００の一例を示す。ワイヤレス通信システム１００は、基地局１０５と、ユーザ機器（ＵＥ）１１５と、コアネットワーク１３０とを含む。いくつかの例では、ワイヤレス通信システム１００はロングタームエボリューション（ＬＴＥ）／ＬＴＥアドバンスト（ＬＴＥ−ａ）ネットワークであり得る。
【００４１】
[0052]基地局１０５は、１つまたは複数の基地局アンテナを介して、ＵＥ１１５とワイヤレスに通信し得る。各基地局１０５は、それぞれの地理的カバレージエリア１１０に通信カバレージを与え得る。ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。ＵＥ１１５は、ワイヤレス通信システム１００全体にわたって分散され得、各ＵＥ１１５は固定式または移動可能であり得る。ＵＥ１１５は、移動局、加入者局、リモートユニット、ワイヤレスデバイス、アクセス端末、ハンドセット、ユーザエージェント、クライアント、または何らかの他の好適な用語で呼ばれることもある。ＵＥ１１５はまた、セルラーフォン、ワイヤレスモデム、ハンドヘルドデバイス、パーソナルコンピュータ、タブレット、パーソナル電子デバイス、マシンタイプ通信（ＭＴＣ）デバイスなどであり得る。
【００４２】
[0053]基地局１０５は、コアネットワーク１３０および互いと通信し得る。たとえば、基地局１０５は、バックホールリンク１３２（たとえば、Ｓ１など）を通して、コアネットワーク１３０とインターフェースし得る。基地局１０５は、直接または間接的に（たとえば、コアネットワーク１３０を通して）のいずれかでバックホールリンク１３４（たとえば、Ｘ２など）を介して互いと通信し得る。基地局１０５は、ＵＥ１１５との通信のための無線構成およびスケジューリングを実施し得るか、または基地局コントローラ（図示せず）の制御下で動作し得る。いくつかの例では、基地局１０５は、マクロセル、スモールセル、ホットスポットなどであり得る。基地局１０５はｅノードＢ（ｅＮＢ）１０５と呼ばれることもある。本開示のいくつかの態様では、小データ送信がページングプロシージャを通してＵＥ１１５に与えられ得、そこにおいて、ＵＥ１１５は、小データ送信を送信するためのＲＲＣ接続を確立することなしに、小データ送信の受信のためにアイドルモードのままであり得る。
【００４３】
[0054]上述のように、いくつかのタイプのワイヤレスデバイスは、Ｍ２Ｍ通信またはＭＴＣを実装する自動化された通信を提供し得る。Ｍ２ＭまたはＭＴＣは、デバイスが人の介入なしに互いにまたは基地局と通信することを可能にするデータ通信技術を指すことがある。たとえば、Ｍ２ＭまたはＭＴＣは、情報を測定またはキャプチャするためにセンサーまたはメーターを組み込み、中央サーバまたはアプリケーションプログラムにその情報を中継する、デバイスからの通信を指すことがある。中央サーバまたはアプリケーションプログラムは、次いで、情報を活用するか、あるいはプログラムまたはアプリケーションと対話する人間に情報を提示することができる。いくつかのＵＥ１１５は、情報を収集する、または機械の自動化された挙動を可能にするように設計されたものなど、ＭＴＣデバイスであり得る。ＭＴＣデバイスのための適用例の例としては、スマートメータリング、インベントリ監視、水位監視、機器監視、ヘルスケア監視、野生生物監視、天候および地質学的事象監視、フリート管理およびトラッキング、リモートセキュリティ検知、物理的アクセス制御、ならびにトランザクションベースのビジネスの課金がある。ＭＴＣデバイスは、低減されたピークレートにおいて半二重（一方向）通信を使用して動作し得る。ＭＴＣデバイスはまた、アクティブ通信に関与していないとき、電力節約「ディープスリープ」モードに入るように構成され得る。
【００４４】
[0055]ＵＥ１１５が、アイドルモードに入り、ページングメッセージを受信するために周期的に起動し得る。いくつかの場合には、コアネットワーク１３０の構成要素（たとえば、以下でより詳細に説明されるようにＣ−ＳＧＮ）が、ＵＥ１１５に送信されるデータを受信し得、データのために小データパケット送信が開始され得ると決定し得る。コアネットワーク１３０は、小データパケットを、ページング情報とデータとを組み合わせるページング要求にフォーマットし、ページング要求を基地局１０５に送信し得、基地局１０５は、ページング要求を受信し、ＵＥ１１５とのページプロセスを開始し得る。いくつかの例では、基地局１０５が、ＵＥとのＲＲＣ接続および／またはネットワークアタッチプロシージャの確立を完了することなしに、小データパケットをＵＥに送信し得る、データのコネクションレス送信が実行され得る。たとえば、基地局は、小データ送信が送られることを示すページメッセージをＵＥ１１５に送信し得る。ＵＥ１１５は、ページメッセージを受信し、小データパケットの送信のために使用され得るアクセスプロシージャを開始し得る。ＵＥ１１５は、たとえば、ページメッセージに応答してランダムアクセス要求を基地局１０５に送信し得、基地局１０５は、ランダムアクセスプロシージャの一部としてデータをＵＥ１１５に送信し得る。いくつかの例では、基地局１０５は、小データパケットが配信されたという肯定応答をコアネットワーク１３０に送信し得る。いくつかの例では、基地局１０５は、ランダムアクセスプロシージャの後に、ただし専用無線ベアラまたはデータセッションコンテキストが確立される前に（たとえば、ネットワークアタッチプロシージャの完了より前になど）、送信中で小データパケットを送信し得る。
【００４５】
[0056]図２は、一態様による、マシンタイプ通信サービスを実装する無線アクセスネットワーク（ＲＡＮ）２０５を含むワイヤレス通信システム２００の一例を示す。システム２００は、いくつかのＭＴＣデバイス１１５−ａと、ＭＴＣサーバ２１０とを含み得る。ＭＴＣサーバ２１０とＭＴＣデバイス１１５との間の通信は、ＲＡＮ２０５の一部と見なされ得、いくつかの例ではＲＡＮノードと呼ばれることがある基地局１０５−ａに、コアネットワーク１３０−ａを通してルーティングされ得る。基地局１０５−ａは、図１に示されている基地局の一例であり得る。ＭＴＣデバイス１１５−ａは、図１に示されているＭＴＣデバイス１１５の例であり得る。図２に示されているＭＴＣデバイス１１５−ａ、コアネットワーク１３０−ａ、ＲＡＮ２０５、およびＭＴＣサーバ２１０の量は例示のためにすぎず、限定するものとして解釈されるべきでないことを、当業者なら理解されよう。
【００４６】
[0057]ワイヤレス通信システム２００は、１つまたは複数のＭＴＣデバイス１１５−ａおよび／または１つまたは複数のＭＴＣサーバ２１０間のマシンタイプ通信を可能にするように動作可能であり得る。マシンタイプ通信は、人の介入なしの１つまたは複数のデバイス間の通信を含み得る。一例では、マシンタイプ通信は、ユーザの介入なしの、ＭＴＣデバイス１１５−ａなどのリモートマシンと、ＭＴＣサーバ２１０などのバックエンドＩＴインフラストラクチャとの間のデータの自動化された交換を含み得る。そのようなデータは、上記で説明されたような比較的少量のデータを含み得、本開示の様々な態様は、コネクションレス小データ送信を通してのＭＴＣデバイス１１５へのデータの効率的な送信を提供する。基地局１０５−ａを介したＭＴＣサーバ２１０からＭＴＣデバイス１１５−ａへのデータの転送は、いくつかの例では、ＲＲＣ接続の確立を必要とすることなしに実行され得る。そのような技法は、たとえば、いくつかのネットワークアクセス層（ＮＡＳ）プロシージャおよびＲＲＣ接続確立メッセージを削除することによって、システム２００の効率を向上させ得る。
【００４７】
[0058]図３は、本開示の様々な態様による、ＬＴＥ／ＬＴＥアドバンストネットワークなど、ＣＩｏＴネットワーク３００を介してマシンタイプ通信サービスを実装するワイヤレス通信システムの一例を示す。ＣＩｏＴネットワーク３００は、それぞれ、図１のコアネットワーク１３０および図２のＲＡＮ２０５の例であり得る、コアネットワーク１３０−ｂとＲＡＮ２０５−ａとを含み得る。コアネットワーク１３０−ｂは、パケットデータネットワークゲートウェイ（ＰＤＮ  ＧＷ）３４０を含み得る。ＰＤＮ  ＧＷ３４０は、直接、またはインターネットプロトコル（ＩＰ）ネットワーク（たとえば、事業者ＩＰネットワークまたは外部ＩＰネットワーク）などのネットワーク接続を通してのいずれかで、１つまたは複数のＭＴＣサーバ２１０−ａに接続され得る。
【００４８】
[0059]コアネットワーク１３０−ｂは、１つまたは複数のショートメッセージサービス（ＳＭＳ）ゲートウェイモバイルスイッチングセンター（ＳＭＳ−ＧＭＳＣ）、インターワーキングＭＳＣ（ＩＷＭＳＣ）、またはＳＭＳルータ３５５を含み得る。さらに、コアネットワーク１３０−ｂは、たとえば、ＭＴＣデバイス１１５−ｂにサービス許可および／またはユーザ認証を与え得るホーム加入者サービス（ＨＳＳ）３５０ノードを含み得る。図３の例では、ＣＩｏＴサービスゲートウェイノード（Ｃ−ＳＧＮ）３１０が、ＰＤＮ  ＧＷ３４０、ＨＳＳ３５０、ＳＭＳ−ＧＭＳＣ／ＩＷＭＳＣ／ＳＭＳルータ３５５、またはモビリティ管理エンティティ（ＭＭＥ）３２０と接続され得る。ＭＭＥ３２０はベアラおよび接続管理を行い得る。いくつかの例では、Ｃ−ＳＧＮ３１０は、内部Ｃ−ＳＧＮ  ＭＭＥ３３０を含み得、基地局１０５と他のネットワークエンドポイント（たとえば、ＰＤＮ  ＧＷ３４０など）との間でユーザＩＰパケットを転送し得る内部サービングゲートウェイ３３５をも含み得る。いくつかの例では、Ｃ−ＳＧＮ  ＭＭＥ３３０は、小データ送信モビリティ機能を管理し得、ＭＭＥ３２０は、イントラ無線アクセス技術（ＲＡＴ）モビリティ機能および／またはＵＥトラッキング管理を扱い得る。ＳＧＷ３３５およびＣ−ＳＧＮ  ＭＭＥ３３０は、Ｃ−ＳＧＮの一部として示されているが、これらのコアネットワーク構成要素は、異なる物理的ノードにおいて実装され得、いくつかの例では、ＭＭＥ３２０の機能とＣ−ＳＧＮ  ＭＭＥ３３０の機能とは、単一の構成要素に（たとえば、ＭＭＥ３２０内などで）組み合わせられ得る。
【００４９】
[0060]ＲＡＮ２０５−ａは、ＬＴＥネットワークのエアインターフェースを介してＵＥ（たとえば、ＭＴＣデバイス１１５）にユーザおよび制御プレーンプロトコル終端を与える、１つまたは複数の基地局またはｅＮＢ１０５−ｂを含み得る。基地局１０５−ｂは、イントラｅＮＢ通信のためのＸ２インターフェースを用いて接続され得る。基地局１０５−ｂは、データトラフィックおよび／または制御プレーン情報を通信するために、Ｓ１インターフェース３１５を介してＣ−ＳＧＮ３１０に接続され得る。同様に、基地局１０５−ｂは、データトラフィックおよび／または制御プレーン情報を通信するために、Ｓ１インターフェース３２５を介してＭＭＥ３２０に接続され得る。ＭＴＣデバイス１１５−ｂは、たとえば、多入力多出力（ＭＩＭＯ）、多地点協調（ＣｏＭＰ）、または他の方式を通して、複数の基地局１０５−ｂと共同的に通信するように構成され得る。
【００５０】
[0061]図４は、本開示の様々な態様による、ワイヤレス通信システムにおける小データ送信のためのプロセスフロー４００の一例を示す。プロセスフロー４００は、図１〜図３を参照しながら説明されたＵＥ１１５および基地局１０５の、および図３を参照しながら説明されたＣ−ＳＧＮ３１０の例であり得る、ＵＥ１１５−ｃと、第１の基地局１０５−ｃと、第２の基地局１０５−ｄと、Ｃ−ＳＧＮ３１０−ａとを含み得る。最初に、ブロック４０５において、ＵＥ１１５−ｃが、Ｃ−ＳＧＮ３１０−ａに登録され得、コネクションレス小データ送信のために構成され得る。たとえば、アタッチまたは登録更新プロシージャなど、登録プロシージャ中に、ＵＥ１１５−ｃおよびＣ−ＳＧＮ３１０−ａは、コネクションレス送信を可能にし、アップリンクとダウンリンクの両方において小データパケットを暗号化／完全性保護するためのセキュリティコンテキストを含む、必要とされるＵＥ１１５−ｃコンテキストをセットアップし得る。
【００５１】
[0062]本開示で使用される小データ送信または小データパケットは、接続確立において使用されるランダムアクセスメッセージまたは他の制御プレーンメッセージのペイロード中で送信され得るデータの量を指す。たとえば、最大ランダムアクセスメッセージペイロードが１４４ビットを含み得る場合、対応する小データ送信または小データパケットは、１４４ビットまたはより少ないビットを含み得る。小データ送信または小データパケット中に含まれ得るデータの量は、特定のワイヤレス通信システムのためのシステム構成と、小データ送信または小データパケットの送信のために使用されるメッセージペイロード中に含まれ得るデータの量とに依存し得る。いくつかの例では、データの量が小データ送信または小データパケットについてのサイズ限界を超える場合、データは、２つまたはそれ以上の連続するコネクションレス送信中で送信され得る。
【００５２】
[0063]ＵＥは、ブロック４１０において示されているように、第１の基地局１０５−ｃにキャンプオンし得る。基地局１０５は、いくつかの例では、ネットワーククラスタ（たとえば、トラッキングエリア）の一部であり得、ＵＥ１１５−ｃが第１の基地局１０５−ｃにキャンプオンするとき、第１の基地局１０５−ｃは、ＵＥ１１５−ｃに関連し得る。ブロック４１５において、Ｃ−ＳＧＮは、アイドルモードにあり得るＵＥ１１５−ｃに送信される小データパケットを受信し得る。Ｃ−ＳＧＮ３１０−ａは、ＵＥ１１５−ｃのためにコネクションレス送信が構成され、可能にされることを識別し得、ＵＥ１１５−ｃをページングするための基地局１０５を選択し得る。上述のように、２つまたはそれ以上の基地局１０５が、ネットワーククラスタの一部であり得、Ｃ−ＳＧＮ３１０−ａ（あるいはＣ−ＳＧＮの内部のＭＭＥまたはＣ−ＳＧＮに関連するＭＭＥ）は、ＵＥ１１５−ｃに関連する（たとえば、ＵＥ１１５−ｃのためのトラッキングエリアをカバーするなど）ものとして、基地局１０５−ｃと基地局１０５−ｄとを識別し得る。Ｃ−ＳＧＮ３１０−ａは、たとえば、定義された時間期間内に小データパケットまたはＵＥ１１５−ｃからのシグナリングを受信したその１つまたは複数の基地局（たとえば、第１の基地局１０５−ｃおよび第２の基地局１０５−ｄ）を識別し得る。一般に、データプレーン暗号化および完全性は、アクセス層セキュリティ鍵を使用して（たとえば、基地局１０５とＵＥ１１５との間の）ＲＡＮにおいて実行され得る。しかしながら、ＵＥ１１５−ｃがアイドル状態にあり、専用無線ベアラが構成されないので、基地局１０５−ｃまたは１０５−ｄにおけるセキュリティコンテキストは、ＵＥ１１５−ｃへのデータ転送の保護および完全性のために確立されないことがある。Ｃ−ＳＧＮ３１０−ａは、代わりに、Ｃ−ＳＧＮ３１０−ａとＵＥ１１５−ｃとの間の制御プレーンレベル暗号化および完全性保護を使用して、小データパケットを暗号化および完全性保護し得る。たとえば、Ｃ−ＳＧＮ３１０−ａは、制御プレーン暗号化鍵（たとえば、ＫNASenc）および／または制御プレーン完全性鍵（たとえば、ＫNASint）を適用し得る。Ｃ−ＳＧＮ３１０−ａはまた、ブロック４２０において示されているように、データにヘッダを追加し得、ヘッダは、データがコネクションレス転送のための小データパケットであることをＲＡＮ（たとえば、基地局１０５−ｃおよび／または１０５−ｄ）に示し得る。
【００５３】
[0064]Ｃ−ＳＧＮ３１０−ａは、次いで、ページング要求４２５を第２の基地局１０５−ｄに、およびページング要求４３０を第１の基地局１０５−ｃに送信する。たとえば、Ｃ−ＳＧＮ３１０−ａは、Ｓ１アプリケーションプロトコル（Ｓ１ＡＰ）ページングメッセージを使用して、Ｓ１インターフェース（たとえば、Ｓ１インターフェース３１５）を介して、ページング要求４３０、４２５を基地局１０５−ｃおよび１０５−ｄに送信し得る。いくつかの例では、ページング要求４２５および４３０は、ＵＥ識別情報およびページング情報など、確立されたページング要求コンテンツ、ならびに（たとえば、暗号化および完全性保護された）小データパケットを含む。いくつかの例では、ページング要求４２５および４３０は、データを解読および完全性検査するためにＵＥに与えられるセキュリティ情報を含み得る。ブロック４３５において、第１の基地局１０５−ｃおよびＵＥ１１５−ｃは、以下でより詳細に説明されるように、ページをＵＥ１１５−ｃに送信することと、ＵＥ１１５−ｃによる返答（たとえば、ランダムアクセス応答）を受信することと、小データパケットの転送とを含み得る、小データパケット転送プロシージャ４３５を実行する。いくつかの例では、Ｃ−ＳＧＮ３１０−ａは、定義された時間期間、配信の確認４４０を待ち得、確認が受信されない場合、Ｃ−ＳＧＮ３１０−ａはページング要求４２５、４３０を再送信し得る。ページング要求４２５、４３０の再送信は、構成可能な回数実行され得る。ブロック４４５において、ＵＥ１１５−ｃは、受信されたデータを解読し、完全性検査し、ＵＥ１１５−ｃ上で実行している１つまたは複数のアプリケーションによる使用のためのアプリケーションレイヤなど、上位レイヤに配信し得る。
【００５４】
[0065]図５は、本開示の様々な態様による、ワイヤレス通信システムにおける小データパケット転送プロシージャのためのプロセスフロー５００の一例を示す。プロセスフロー５００は、図１〜図４を参照しながら説明されたＵＥ１１５および基地局１０５の例であり得る、ＵＥ１１５−ｄと基地局１０５−ｅとを含み得る。最初に、ブロック５０５において、ＵＥ１１５−ｄはアイドルモードにある。ブロック５１０において、基地局１０５−ｅは、（たとえば、Ｃ−ＳＧＮなどから）小データページング要求を受信し得る。そのような小データページング要求は、上記で説明されたように、ＵＥ１１５−ｄのためのページング情報ならびにＵＥ１１５−ｄに送信される小データパケットを含み得る。基地局１０５−ｅが、小データパケットを含むページング要求を受信したとき、上述のように、基地局１０５−ｅは、ＵＥ１１５−ｄをページングし、ＵＥ１１５−ｄがページングに返答した場合、ＵＥ１１５−ｄに小データパケットを配信する。
【００５５】
[0066]図５の例に示されているようないくつかの態様では、小データパケットの配信は、ランダムアクセスプロシージャのメッセージを通して実行され得る。この例では、ブロック５１５において、基地局１０５−ｅは、ランダムアクセス要求のためのＰＲＡＣＨリソースを識別し得、ＵＥ１１５−ｄへのページメッセージ中にＰＲＡＣＨリソースを含め得る。ＰＲＡＣＨリソースは、ランダムアクセス要求のための時間、周波数、および／またはプリアンブルリソースを含み得、これは、コネクションレス小データ送信とともに使用するために構成された利用可能なＰＲＡＣＨリソースのセットから選択され得る。たとえば、識別されたＰＲＡＣＨリソースは、ＰＲＡＣＨリソースのあらかじめ定義されたセットへのインデックスであり得、これは、定義されるかまたは半静的に構成され、システム情報ブロック（ＳＩＢ）中でブロードキャストされ得る。いくつかの例では、ＰＲＡＣＨリソース割当ては、満了時間を有し得るか、または試みの最大回数を有し得、それに続いて、ＵＥ１１５−ｄが成功しない場合、ＵＥ１１５−ｄは、識別されたＰＲＡＣＨリソースを使用することを中止し得る。
【００５６】
[0067]ＰＲＡＣＨリソースの識別に続いて、基地局１０５−ｅは、ページメッセージ５２０を送信し、これは、この例では、専用ＰＲＡＣＨリソース情報を含む。ＵＥ１１５−ｄは、識別されたＰＲＡＣＨリソースを使用してランダムアクセスプリアンブル５２５を送信する。基地局１０５−ｅは、次いで、ペイロードとして小データパケットを含むランダムアクセス応答５３０を送信し得る。小データパケットは、たとえば、ランダムアクセス応答５３０中のタイミングアドバンス、アップリンク許可、および／またはセル無線ネットワーク一時識別子（Ｃ−ＲＮＴＩ）フィールドに代わり得る。ＵＥ１１５−ｄは、次いで、ブロック５３５において示されているように、アイドルモードを維持するか、または（ランダムアクセス応答５３０中でそうするように命令された場合）接続モードに入り得る。そのような方法で、ＵＥ１１５−ｄは、専用リソースを使用する競合なし（contention-free）ランダムアクセスを実行し、ランダムアクセス応答メッセージは、小データパケットを含んでいる。そのような技法は、確実なランダムアクセス応答受信を提供し得、ＵＥ１１５−ｄは、ランダムアクセス応答が受信されるまで何回もランダムアクセスプロシージャを実行し得る。いくつかの例では、小データパケットのほかに、ランダムアクセス応答はアップリンク許可をも含んでいることがあり、これは、ＵＥ１１５−ｄにおいて発信されるデータを送るために、またはデータの正確な受信を示すための肯定応答を送るために使用され得る。いくつかの例では、ランダムアクセス応答は、基地局１０５−ｅがＵＥ１１５−ｄとのＲＲＣ接続を確立することを進めることを決定し得る場合に、ＵＥがＲＲＣ接続を続けるようにとのインジケーションをも含み得る。ＵＥ１１５−ｄは、次いで、（たとえば、アップリンク許可において許可されたリソース中で）接続セットアップメッセージを送信し得る。ランダムアクセス応答メッセージは、さらなる例では、ＵＥ１１５−ｄが小データパケットを受信するとアイドルモードに戻り得ることを示し得る、接続解放インジケーションを含み得る。そのような接続解放インジケーションは、他の例では、ＲＲＣ接続を続けるようにとのインジケーションの不在、またはランダムアクセス応答中の他のフィールド（たとえば、タイミングアドバンス、アップリンク許可、Ｃ−ＲＮＴＩ）に基づき得る。ＵＥ１１５−ｄは、小データパケットの正常な受信の肯定応答を基地局１０５−ｅに与え得る（図示せず）。肯定応答は、たとえば、ランダムアクセス応答中で与えられたまたはランダムアクセス応答に関連するリソース（たとえば、ランダムアクセスＲＮＴＩ（ＲＡ−ＲＮＴＩ）、ランダムアクセス応答のＰＤＳＣＨロケーションなど）に基づく、アップリンク制御チャネル（たとえば、ＰＵＣＣＨ）またはアップリンクデータチャネル（たとえば、ＰＵＳＣＨ）のアップリンクリソースを介して、送信され得る。いくつかの例では、基地局１０５−ｅは、小データパケットが配信されたことをＣ−ＳＧＮ（たとえば、図３〜図４のＣ−ＳＧＮ３１０）に確認し得る（図示せず）。
【００５７】
[0068]図６は、本開示の様々な態様による、ワイヤレス通信システムにおける小データパケット転送プロシージャのためのプロセスフロー６００の一例を示す。プロセスフロー６００は、図１〜図５を参照しながら説明されたＵＥ１１５および基地局１０５の例であり得る、ＵＥ１１５−ｅと基地局１０５−ｆとを含み得る。最初に、ブロック６０５において、ＵＥ１１５−ｅはアイドルモードにある。ブロック６１０において、基地局１０５−ｆは、小データページング要求を受信し得る。そのような小データページング要求は、上記で説明されたように、ＵＥ１１５−ｅのためのページング情報ならびにＵＥ１１５−ｅに送信される小データパケットを含み得る。基地局１０５−ｆが小データパケットを含むページング要求を受信したとき、上述のように、基地局１０５−ｆはＵＥ１１５−ｅをページングし、ＵＥ１１５−ｅがページングに返答した場合、基地局１０５−ｆはＵＥ１１５−ｅに小データパケットを配信する。
【００５８】
[0069]図６の例に示されているようないくつかの態様では、小データパケットの配信は、ランダムアクセス要求ＲＲＣ接続確立メッセージングを通して実行され得る。この例では、基地局１０５−ｆは、小データ送信がＵＥ１１５−ｅに配信されることを示し得るページメッセージ６１５を送信する。いくつかの例では、ページメッセージ６１５は、（小データ送信を示すために使用され得る）専用ランダムアクセスプリアンブル割当てを随意に含み得る。ＵＥ１１５−ｅは、次いで、ランダムアクセスプリアンブル６２０を送信することによって、ＲＲＣ接続確立プロシージャを実行し得、その後に基地局１０５−ｆからのランダムアクセス応答６２５が続き、その後にＵＥ１１５−ｅからのランダムアクセスメッセージ６３０（たとえば、ＲＲＣ接続セットアップ要求）が続く。いくつかの例では、ランダムアクセス応答６２５は、レガシーランダムアクセスプロシージャに従い得、ランダムアクセスメッセージ６３０のためのアップリンク許可を含んでいることがある。いくつかの例では、ランダムアクセスメッセージ６３０は、ＵＥ識別情報と、ＵＥが次のメッセージ中で小データパケットを受信することができるというインジケーションとを含み得る。いくつかの例では、ランダムアクセスメッセージ６３０は、ＵＥ１１５−ｅにおいて発信される他のデータを含み得る。いくつかの例では、ランダムアクセスプリアンブルは、接続が小データ要求のためのものであるというインジケーションを含み得る。基地局１０５−ｆは、次いで、ペイロードとして小データパケットを含み得る接続セットアップメッセージ６３５を送信する。接続セットアップメッセージ６３５はまた、いくつかの例では、ＵＥ識別情報と、接続を解放するかまたはＲＲＣ接続を完了するようにとのインジケーションとを含み得る。ＵＥ１１５−ｅは、次いで、小データパケットの正常な受信の基地局１０５−ｆへの肯定応答を含み得る接続セットアップ完了メッセージ６４０で応答し得る。ＵＥ１１５−ｅは、６４５において、接続セットアップメッセージに基づいて、アイドルモードを再開するかまたはＲＲＣ接続モードに入り得る。
【００５９】
[0070]接続セットアップ完了メッセージ６４０の後にＲＲＣ接続がＵＥ１１５−ｅと基地局１０５−ｆとの間で確立されるが、基地局１０５−ｆに関連するネットワーク（たとえば、ＲＡＮ）は、他のネットワークエンティティ（たとえば、ＰＤＮ−ＧＷなど）とＵＥ１１５−ｆとの間のデータの転送のための、データセキュリティコンテキストまたは専用無線ベアラ（たとえば、デフォルトベアラなど）をまだ確立していない。いくつかの例では、小データパケットは、接続セットアップ完了メッセージ６４０の後に、ただしセキュリティコンテキストおよび専用無線ベアラを確立するために使用されるアタッチプロシージャより前に、基地局１０５−ｆからのメッセージングにおいて代わりに送られ得る。たとえば、基地局１０５−ｆは、接続セットアップ完了メッセージ６４０の後に、小データパケットを含むメッセージ（図示せず）を送り得る。小データパケットのための暗号化およびデータ完全性保護は、上記で説明されたように、Ｃ−ＳＧＮが、６１０において受信された小データページング要求中に含まれる小データパケットに、制御プレーンデータ暗号化鍵および／または制御プレーンデータ完全性鍵を適用し得るので、維持され得る。したがって、小データパケットは、デフォルト無線ベアラを含む専用無線ベアラの確立より前に、シグナリング無線ベアラに関連する制御プレーンメッセージ中で送られ得る。
【００６０】
[0071]上述のように、ＵＥ（たとえば、図１〜図６のＵＥ１１５）がページングされ、小データパケットを受信したとき、ＵＥは、小データパケットを解読し、小データパケットの完全性を検査し得る。解読および完全性検査が正確である場合、ＵＥは、上位レイヤに小データパケットを配信する。いくつかの例では、ＵＥは、小データパケットの正確な受信を確認する完全性保護された肯定応答（ＡＣＫ）メッセージをＣ−ＳＧＮ（たとえば、図３〜図４のＣ−ＳＧＮ３１０）に送り得る。解読が失敗するか、完全性検査が失敗するか、または受信における別のエラーが発生した場合、ＵＥは、コアネットワークと再同期するために登録更新（たとえば、トラッキングエリア更新プロシージャ）を開始し得る。いくつかの例では、基地局１０５−ｆは、小データパケットがＵＥ１１５−ｅに配信されたことをＣ−ＳＧＮ（たとえば、図３〜図４のＣ−ＳＧＮ３１０）に確認し得る。
【００６１】
[0072]図７は、本開示の様々な態様による、ワイヤレス通信システムにおける小データ送信のために構成されたデバイス７００のブロック図を示す。デバイス７００は、図１〜図６を参照しながら説明されたＣ−ＳＧＮ３１０の態様の一例であり得る。デバイス７００は、上記で説明された小データパケット送信に関係する動作を実行し得るコアネットワークページングマネージャ７０５を含み得る。コアネットワークページングマネージャ７０５は、ＵＥに送信される小データパケットを受信することと、小データパケットをページング要求にフォーマットすることと、ページング要求がＵＥ識別情報と小データパケットとを含む、ページング要求を基地局に送信することとを行い得る。コアネットワークページングマネージャ７０５は、ゲートウェイ（ＧＷ）インターフェース７１０と、ページング要求フォーマッタ７１５と、無線アクセスネットワーク（ＲＡＮ）インターフェース７２０と、ページング構成マネージャ７２５と、小データパッケージ（ＳＤＰ：small data package）セキュリティマネージャ７３０と、プロセッサ７６０と、（ソフトウェア（ＳＷ）７７０を含む）メモリ７６５とを含み得、それらの各々は、（たとえば、バスシステム７７５を介して）互いと直接または間接的に通信していることがある。
【００６２】
[0073]メモリ７６５はＲＡＭおよびＲＯＭを含み得る。メモリ７６５はまた、実行されたとき、プロセッサ７６０に本明細書で説明される様々な機能（たとえば、コネクションレス転送のためのページングメッセージングにおいて小データパケットを送ること、小データパケットの暗号化および／または完全性保護など）を実行させるように構成された命令を含んでいるコンピュータ可読、コンピュータ実行可能ソフトウェアコード７７０を記憶し得る。代替的に、ソフトウェア７７０は、プロセッサ７６５によって直接的に実行可能でないことがあるが、たとえば、コンパイルされ実行されたとき、コンピュータに本明細書で説明される機能を実行させるように構成され得る。プロセッサ７６０は、インテリジェントハードウェアデバイス、たとえば、ＣＰＵ、マイクロコントローラ、ＡＳＩＣなどを含み得る。プロセッサ７６０は、エンコーダ、キュー処理モジュール、ベースバンドプロセッサ、無線ヘッドコントローラ、デジタル信号プロセッサ（ＤＳＰ）など、様々な専用プロセッサを含み得る。
【００６３】
[0074]ゲートウェイインターフェース７１０は、図２〜図６を参照しながら説明されたように、ＵＥに送信される小データパケット７３５を受信し得る。ゲートウェイインターフェース７３５は、たとえば、図２〜図６を参照しながら説明されたように、ＳＧＷまたはＰＤＮ−ＧＷに結合され得る。ゲートウェイインターフェース７１０は、受信された小データパケット７４０をＳＤＰセキュリティマネージャ７３０にパスし得る。ＳＤＰセキュリティマネージャは、図２〜図６を参照しながら説明されたように、小データパケットの暗号化または完全性保護のうちの１つまたは複数のためのセキュリティコンテキストで構成され得る。たとえば、ＳＤＰセキュリティマネージャは、保護された小データパケット７４５を取得するために、ＵＥのための小データパケットに、制御プレーンデータ暗号化鍵（たとえば、ＫNASenc）またはデータ完全性鍵（たとえば、ＫNASint）を適用し得る。ページング要求フォーマッタ７１５は、図２〜図６を参照しながら説明されたように、小データパケットをページング要求７５０にフォーマットし得、ここで、各ページング要求はＵＥ識別情報とそれぞれの小データパケットとを含み得る。ページング要求フォーマッタ７１５はまた、いくつかの例では、小データパケットがＵＥに配信されたという確認を（たとえば、無線アクセスネットワークインターフェース７２０を介して）受信し得る。いくつかの例では、ページング要求は、ページング要求が小データパケットを含むことを示すヘッダ情報をさらに与える。
【００６４】
[0075]無線アクセスネットワークインターフェース７２０は、図２〜図６を参照しながら説明されたように、ページング要求を基地局に送り得る。いくつかの例では、ページング要求は、（たとえば、トラッキングエリアに関連する）ネットワーククラスタの一部であり得る１つまたは複数の基地局に送信され得、ネットワーククラスタ中の少なくとも１つの基地局は、ＵＥに関連し得る（たとえば、ＵＥは、少なくとも１つの基地局にキャンプオンし得る）。無線アクセスネットワークインターフェース７２０はまた、小データパケットの配信の確認が受信されたかどうかを決定し得る。無線アクセスネットワークインターフェース７２０はまた、定義された時間期間内に確認がない場合、ページング要求を基地局に再送信し得る。ページング構成マネージャ７２５は、図２〜図６を参照しながら説明されたように、構成パケット７５５を介して、ページング要求中の小データパケットの受信を可能にするように１つまたは複数のＵＥを構成し得る。いくつかの例では、ＵＥは、アイドルモードにあり、ページング要求中の小データパケットを受信するように構成され得る。
【００６５】
[0076]図８は、本開示の様々な態様による、ワイヤレス通信システムにおける小データ送信構成されたワイヤレスデバイス８００のブロック図を示す。ワイヤレスデバイス８００は、図１〜図６を参照しながら説明された基地局１０５の態様の一例であり得る。ワイヤレスデバイス８００は、受信機８０５、基地局ページングマネージャ８１０、または送信機８１５を含み得る。ワイヤレスデバイス８００はプロセッサをも含み得る。これらの構成要素の各々は互いと通信していることがある。
【００６６】
[0077]受信機８０５は、パケット、ユーザデータ、または様々な送信に関連する制御情報（たとえば、ランダムアクセス要求、および小データ送信に関係する情報など）などの情報を受信し得る。情報は、基地局ページングマネージャ８１０に、およびワイヤレスデバイス８００の他の構成要素に受け渡され得る。
【００６７】
[0078]基地局ページングマネージャ８１０は、ネットワークノード（たとえば、Ｃ−ＧＳＮなど）から、ＵＥ識別情報と小データパケットとを含むページング要求を受信し得、ページをＵＥに送信し、ＵＥからアクセス要求を受信し、アクセス要求に応答して、小データパケットをＵＥに送信し得る。いくつかの例では、基地局ページングマネージャ８１０は、ページングメッセージを送信または受信する際に使用するためのページングリソースを決定し得る。基地局ページングマネージャ８１０は、基地局ページング要求マネージャ８２０と、ＵＥ送信インターフェース８２５と、ランダムアクセスコーディネータ８３０とを含み得る。
【００６８】
[0079]送信機８１５は、ワイヤレスデバイス８００の他の構成要素から受信された信号を送信し得る。いくつかの例では、送信機８１５は、トランシーバモジュール中で受信機８０５とコロケートされ得る。送信機８１５は単一のアンテナを含み得るか、またはそれは複数のアンテナを含み得る。
【００６９】
[0080]基地局ページング要求マネージャ８２０は、図３〜図４に関して上記で説明されたＣ−ＳＧＮ３１０など、コアネットワーク構成要素からページング要求８３５を受信し得る。ＵＥ送信インターフェース８２５は、ページング管理情報８４０をＵＥ送信インターフェース８２５に送ることによって、基地局によってサービスされるＵＥへの通信８４５（たとえば、図２〜図６を参照しながら説明されたように、（１つまたは複数の）ページ、アップリンク許可、無線リソース制御セットアップメッセージ、または接続解放インジケーション）の（たとえば、送信機８１５を介した）送信を管理し得る。いくつかの例では、ＵＥへのページは、小データパケットが送信されるというインジケーションを含む。基地局ページング要求マネージャ８２０はまた、小データパケットがＵＥに配信されたことを確認する肯定応答８６０を（たとえば、受信機８０５を介して）受信し得る。基地局ページング要求マネージャ８２０は、コアネットワーク構成要素に小データパケットのに配信を確認し得る。
【００７０】
[0081]ランダムアクセスコーディネータ８３０は、図２〜図６を参照しながら説明されたように、ＵＥからアクセス要求８５０を受信し得る。ランダムアクセスコーディネータ８３０はまた、アクセス要求に応答して、小データパケットをＵＥに送信し、アクセス要求を送信する際に使用するためのリソースのセットをＵＥに割り当て得、ＵＥ送信インターフェース８２５を介して送信機８１５を利用する通信８５５において、リソースの割り当てられたセットのインジケーションをページ中に含め得る。小データパケットは、たとえば、ランダムアクセス応答中のタイミングアドバンス、アップリンク許可、および／またはＣ−ＲＮＴＩフィールドに代わり得る。リソースのセットは、小データパケットのコネクションレス転送に関連する物理ランダムアクセスチャネル（ＰＲＡＣＨ）のリソースであり得る。いくつかの例では、リソースのセットは、アクセス要求を送信する際に使用するための時間リソース、周波数リソース、またはプリアンブルリソースのうちの１つまたは複数を含む。いくつかの例では、リソースの割り当てられたセットのインジケーションは、プリアンブルリソースの複数の利用可能なセットへのインデックスを備える。いくつかの例では、リソースの複数の利用可能なセットは、あらかじめ定義されるか、または半静的に構成され得る。ランダムアクセスコーディネータ８３０はまた、小データパケットの正確な受信を示す肯定応答をＵＥから受信し得る（図示せず）。いくつかの例では、ＵＥからのアクセス要求はランダムアクセスプリアンブルを含み得、ランダムアクセスコーディネータ８３０は、ランダムアクセスプリアンブルに応答して、ランダムアクセス応答をＵＥに送信することを開始し得る。ランダムアクセスコーディネータ８３０はまた、ランダムアクセス応答に応答して、ＵＥからデータ要求を受信し得る（図示せず）。
【００７１】
[0082]図９は、本開示の様々な態様による、ワイヤレス通信システムにおける小データ送信のために構成された基地局１０５−ｇを含むシステム９００の図を示す。システム９００は、図１〜図６および図８を参照しながら説明されたワイヤレスデバイス８００の一例であり得る、基地局１０５−ｇを含み得る。基地局１０５−ｇは、図８を参照しながら説明された基地局ページングマネージャ８１０の一例であり得る、基地局ページングマネージャ９１０を含み得る。基地局１０５−ｇは、通信を送信するための構成要素と通信を受信するための構成要素とを含む、双方向音声およびデータ通信のための構成要素をも含み得る。たとえば、基地局１０５−ｇは、ＵＥ１１５−ｆまたはＵＥ１１５−ｇと双方向に通信し得る。
【００７２】
[0083]いくつかの場合には、基地局１０５−ｇは１つまたは複数のワイヤードバックホールリンクを有し得る。基地局１０５−ｇは、コアネットワーク１３０−ｃへのワイヤードバックホールリンク（たとえば、Ｓ１インターフェースなど）を有し得る。基地局１０５−ｇはまた、基地局間バックホールリンク（たとえば、Ｘ２インターフェース）を介して、基地局１０５−ｈおよび基地局１０５−ｉなど、他の基地局１０５と通信し得る。基地局１０５の各々は、同じまたは異なるワイヤレス通信技術を使用してＵＥ１１５と通信し得る。いくつかの場合には、基地局１０５−ｇは、基地局通信モジュール９２５を利用して１０５−ｈまたは１０５−ｉなどの他の基地局と通信し得る。いくつかの例では、基地局通信モジュール９２５は、基地局１０５のうちのいくつかの間の通信を行うために、ＬＴＥ／ＬＴＥ−Ａワイヤレス通信ネットワーク技術内のＸ２インターフェースを与え得る。いくつかの例では、基地局１０５−ｇは、コアネットワーク１３０を通して他の基地局と通信し得る。いくつかの場合には、基地局１０５−ｇは、ネットワーク通信インターフェース９３０を通してコアネットワーク１３０と通信し得る。
【００７３】
[0084]基地局１０５−ｇは、プロセッサ９０５と、（ソフトウェア（ＳＷ）１４２０を含む）メモリ９１５と、トランシーバ９３５と、（１つまたは複数の）アンテナ９４０とを含み得、それらの各々は、（たとえば、バスシステム９４５を介して）互いと直接または間接的に通信していることがある。トランシーバ９３５は、（１つまたは複数の）アンテナ９４０を介して、マルチモードデバイスであり得るＵＥ１１５と双方向に通信するように構成され得る。トランシーバ９３５（または基地局１０５−ｇの他の構成要素）はまた、アンテナ９４０を介して、１つまたは複数の他の基地局（図示せず）と双方向に通信するように構成され得る。トランシーバ９３５は、パケットを変調し、変調されたパケットを送信のためにアンテナ９４０に与え、アンテナ９４０から受信されたパケットを復調するように構成されたモデムを含み得る。基地局１０５−ｇは、各々が１つまたは複数の関連するアンテナ９４０をもつ複数のトランシーバ９３５を含み得る。トランシーバは、図８の組み合わせられた受信機８０５および送信機８１５の一例であり得る。
【００７４】
[0085]メモリ９１５はＲＡＭおよびＲＯＭを含み得る。メモリ９１５はまた、実行されたとき、プロセッサ９１０に本明細書で説明される様々な機能（たとえば、ワイヤレス通信システムにおける小データ送信など）を実行させるように構成された命令を含んでいるコンピュータ可読、コンピュータ実行可能ソフトウェアコード９２０を記憶し得る。代替的に、ソフトウェア９２０は、プロセッサ９０５によって直接的に実行可能でないことがあるが、たとえば、コンパイルされ実行されたとき、コンピュータに本明細書で説明される機能を実行させるように構成され得る。プロセッサ９０５は、インテリジェントハードウェアデバイス、たとえば、ＣＰＵ、マイクロコントローラ、ＡＳＩＣなどを含み得る。プロセッサ９０５は、エンコーダ、キュー処理モジュール、ベースバンドプロセッサ、無線ヘッドコントローラ、デジタル信号プロセッサ（ＤＳＰ）など、様々な専用プロセッサを含み得る。
【００７５】
[0086]基地局通信インターフェース９２５は他の基地局１０５との通信を管理し得る。いくつかの場合には、通信管理モジュールは、他の基地局１０５と協働してＵＥ１１５との通信を制御するためのコントローラまたはスケジューラを含み得る。たとえば、基地局通信インターフェース９２５は、ビームフォーミングまたはジョイント送信などの様々な干渉緩和技法のためのＵＥ１１５への送信のためのスケジューリングを協調させ得る。
【００７６】
[0087]ワイヤレスデバイス８００の構成要素、ならびに基地局ページングマネージャ８１０および９１０は、適用可能な機能の一部または全部をハードウェアで実行するように適応された少なくとも１つのＡＳＩＣを用いて、個々にまたはまとめて実装され得る。代替的に、それらの機能は、１つまたは複数の他の処理ユニット（またはコア）によって、少なくとも１つのＩＣ上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【００７７】
[0088]図１０は、本開示の様々な態様による、ワイヤレス通信システムにおける小データ送信のために構成されたワイヤレスデバイス１０００のブロック図を示す。ワイヤレスデバイス１０００は、図１〜図９を参照しながら説明されたＵＥ１１５の態様の一例であり得る。ワイヤレスデバイス１０００は、受信機１００５、ＵＥページングマネージャ１０１０、または送信機１０１５を含み得る。ワイヤレスデバイス１０００はプロセッサをも含み得る。これらの構成要素の各々は互いと通信していることがある。
【００７８】
[0089]受信機１００５は、パケット、ユーザデータ、または様々な情報チャネルに関連する制御情報（たとえば、制御チャネル、データチャネル、およびワイヤレス通信システムにおける小データ送信に関係する情報など）などの情報を受信し得る。情報は、ＵＥページングマネージャ１０１０に、およびワイヤレスデバイス１０００の他の構成要素に受け渡され得る。
【００７９】
[0090]ＵＥページングマネージャ１０１０は、小データパケットがＵＥに送信されるというインジケーション、または小データパケットのうちの少なくとも１つを含むページを基地局から受信し得る。ＵＥは、ページに応答してアクセス要求を基地局に送信することによって、ランダムアクセスチャネル（ＲＡＣＨ）プロシージャを開始し得、ＲＡＣＨプロシージャ中にアクセス要求に応答して、小データパケットに肯定応答し得る。肯定応答は、たとえば、ランダムアクセス応答中で与えられたまたはランダムアクセス応答に関連するリソース（たとえば、ＲＡ−ＲＮＴＩ、ランダムアクセス応答のＰＤＳＣＨロケーションなど）に基づく、アップリンク制御チャネル（たとえば、ＰＵＣＣＨ）またはアップリンクデータチャネル（たとえば、ＰＵＳＣＨ）のアップリンクリソースを介して、送信され得る。
【００８０】
[0091]ＵＥページングマネージャ１０１０は、ページマネージャ１０２０と、ＵＥランダムアクセスコーディネータ１０２５と、ＵＥ構成マネージャ１０３０と、小データパケットプロセッサ１０６５とを含み得る。ページマネージャ１０２０は、ページ１０３５を受信し得、小データパケットがＵＥに送信されるというインジケーションに基づいて、ＵＥランダムアクセスコーディネータ１０２５を介して、ページに応答してアクセス要求１０４０を送信することによって、ＲＡＣＨプロシージャを開始し得る。ＵＥランダムアクセスコーディネータ１０２５は、送信機１０１５を介して、通信１０４５においてアクセス要求１０４０を基地局にフォワーディングし得る。
【００８１】
[0092]ＵＥランダムアクセスコーディネータ１０２５はまた、アクセス要求１０４０に応答して、通信１０５０において、小データパケットを含んでいることも含んでいないこともあるランダムアクセス応答を受信し得る。いくつかの例では、小データパケットのほかに、ランダムアクセス応答はアップリンク許可をも含んでいることがあり、これは、ＵＥ１１５において発信されるデータを送るために、またはデータの正確な受信を示すための肯定応答を送るために使用され得る。いくつかの例では、ランダムアクセス応答は、基地局１０５がＵＥ１１５とのＲＲＣ接続を確立することを進めることを決定し得る場合に、ＵＥ１１５がＲＲＣ接続を続けるようにとのインジケーションをも含み得る。ランダムアクセスコーディネータ１０２５は、次いで、送信機１０１５を介して、通信１０４５において、（たとえば、アップリンク許可において許可されたリソース中で）接続セットアップメッセージを送信し得る。
【００８２】
[0093]いくつかの例では、ページメッセージ１０３５は、（小データ送信を示すために使用され得る）専用ランダムアクセスプリアンブル割当てを随意に含み得る。ＵＥ１１５は、次いで、図６において説明された技法を使用して、基地局１０５とのＲＲＣ接続確立プロシージャを実行し得る。このＲＲＣ接続確立プロシージャは、ペイロードとして小データパケットを含み得る、通信１０５０における接続セットアップメッセージを含み得る。いくつかの例では、小データパケットは、接続セットアップ完了メッセージの後に、ただしセキュリティコンテキストおよび専用無線ベアラを確立するために使用されるアタッチプロシージャより前に、基地局１０５からのメッセージングにおいて代わりに送られ得る。したがって、小データパケットは、デフォルト無線ベアラを含む専用無線ベアラの確立より前に、シグナリング無線ベアラに関連する制御プレーンメッセージ中で送られ得る。
【００８３】
[0094]ＵＥ構成マネージャ１０３０は、たとえば、ＮＡＳセキュリティ情報など、小データ送信のための構成情報１０５５を含み得る。ＵＥ構成マネージャ１０３０はまた、コネクションレス小データ送信に関係する構成情報１０６０をＣ−ＳＧＮから受信し得る。ＵＥ構成マネージャ１０３０は、上位レイヤ（たとえば、アプリケーションなど）に、処理された小データパケット１０７５を与えるために、小データパケット１０７０を処理（たとえば、解読、完全性保護など）し得る小データパケットプロセッサ１０６５に構成情報１０５５を与え得る。
【００８４】
[0095]送信機１０１５は、ワイヤレスデバイス１０００の他の構成要素から受信された信号を送信し得る。いくつかの例では、送信機１０１５は、トランシーバモジュール中で受信機１００５とコロケートされ得る。送信機１０１５は単一のアンテナを含み得るか、またはそれは複数のアンテナを含み得る。
【００８５】
[0096]図１１は、本開示の様々な態様による、ワイヤレス通信システムにおける小データ送信のために構成されたＵＥ１１５を含むシステム１１００の図を示す。システム１１００は、図１〜図６および図８〜図１０を参照しながら説明されたワイヤレスデバイス１０００またはＵＥ１１５の一例であり得る、ＵＥ１１５−ｈを含み得る。ＵＥ１１５−ｈは、図１０を参照しながら説明されたＵＥページングマネージャ１０１０の一例であり得る、ＵＥページングマネージャ１１１０を含み得る。ＵＥ１１５−ｈは、通信を送信するための構成要素と通信を受信するための構成要素とを含む、双方向音声およびデータ通信のための構成要素をも含み得る。たとえば、ＵＥ１１５−ｈは、基地局１０５−ｊまたはＵＥ１１５−ｉと双方向に通信し得る。
【００８６】
[0097]ＵＥ１１５−ｈはまた、プロセッサ１１０５と、（ソフトウェア（ＳＷ）を含む）１１２０メモリ１１１５と、トランシーバ１１３５と、１つまたは複数のアンテナ１１４０とを含み得、その各々は、（たとえば、バス１１４５を介して）互いと直接または間接的に通信し得る。トランシーバ１１３５は、上記で説明されたように、（１つまたは複数の）アンテナ１１４０あるいはワイヤードリンクまたはワイヤレスリンクを介して、１つまたは複数のネットワークと双方向に通信し得る。たとえば、トランシーバ１１３５は、基地局１０５または別のＵＥ１１５と双方向に通信し得る。トランシーバ１１３５は、パケットを変調し、変調されたパケットを送信のために（１つまたは複数の）アンテナ１１４０に与え、（１つまたは複数の）アンテナ１１４０から受信されたパケットを復調するためのモデムを含み得る。ＵＥ１１５−ｈは単一のアンテナ１１４０を含み得るが、ＵＥ１１５−ｈはまた、複数のワイヤレス送信を同時に送信または受信することが可能な複数のアンテナ１１４０を有し得る。
【００８７】
[0098]メモリ１１１５は、ランダムアクセスメモリ（ＲＡＭ）および読取り専用メモリ（ＲＯＭ）を含み得る。メモリ１１１５は、実行されたとき、プロセッサ１１０５に本明細書で説明される様々な機能（たとえば、ワイヤレス通信システムにおける小データ送信など）を実行させる命令を含むコンピュータ可読、コンピュータ実行可能ソフトウェア／ファームウェアコード１１２０を記憶し得る。代替的に、ソフトウェア／ファームウェアコード１１２０は、プロセッサ１１０５によって直接的に実行可能でないことがあるが、（たとえば、コンパイルされ実行されたとき）コンピュータに本明細書で説明される機能を実行させ得る。プロセッサ１１０５は、インテリジェントハードウェアデバイス（たとえば、中央処理ユニット（ＣＰＵ）、マイクロコントローラ、ＡＳＩＣなど）を含み得る。
【００８８】
[0099]図１２は、本開示の様々な態様による、ワイヤレス通信システムにおける小データ送信のための方法１２００を示すフローチャートを示す。方法１２００の動作は、図１〜図１１を参照しながら説明されたように、Ｃ−ＳＧＮ３１０など、コアネットワーク構成要素、またはそれの構成要素によって実施され得る。たとえば、方法１２００の動作は、図７を参照しながら説明されたように、コアネットワークページングマネージャ７０５によって実行され得る。いくつかの例では、コアネットワーク構成要素は、以下で説明される機能を実行するように構成要素の機能要素を制御するためのコードのセットを実行し得る。追加または代替として、コアネットワーク構成要素は、専用ハードウェアを使用して、以下で説明される機能態様を実行し得る。
【００８９】
[0100]ブロック１２０５において、コアネットワーク構成要素は、図２〜図６を参照しながら説明されたように、ＵＥに送信される小データパケットを受信する。いくつかの例では、ブロック１２０５の動作は、図７を参照しながら説明されたように、ＧＷインターフェース７１０によって実行され得る。
【００９０】
[0101]ブロック１２１０において、コアネットワーク構成要素は、図２〜図６を参照しながら説明されたように、小データパケットをページング要求にフォーマットし、ページング要求はＵＥ識別情報と小データパケットとを含む。いくつかの例では、ブロック１２１０の動作は、図７を参照しながら説明されたように、ページング要求フォーマッタ７１５によって実行され得る。
【００９１】
[0102]ブロック１２１５において、コアネットワーク構成要素は、図２〜図６を参照しながら説明されたように、ページング要求を１つまたは複数の基地局に送信する。いくつかの例では、ブロック１２１５の動作は、図７を参照しながら説明されたように、ＲＡＮインターフェース７２０によって実行され得る。
【００９２】
[0103]図１３は、本開示の様々な態様による、ワイヤレス通信システムにおける小データ送信のための方法１３００を示すフローチャートを示す。方法１３００の動作は、図１〜図１１を参照しながら説明されたように、基地局１０５またはそれの構成要素によって実施され得る。たとえば、方法１３００の動作は、図８〜図９を参照しながら説明されたように、基地局ページングマネージャ８１０または基地局ページングマネージャ９１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明される機能態様を実行し得る。
【００９３】
[0104]ブロック１３０５において、基地局１０５は、図２〜図６を参照しながら説明されたように、ネットワークノードからページング要求を受信し、ＵＥに関連するページング要求は、小データパケットを備える。いくつかの例では、ブロック１３０５の動作は、図８を参照しながら説明されたように、基地局ページング要求マネージャ８２０によって実行され得る。
【００９４】
[0105]ブロック１３１０において、基地局１０５は、図２〜図６を参照しながら説明されたように、ページをＵＥに送信する。いくつかの例では、ブロック１３１０の動作は、図８を参照しながら説明されたように、ＵＥ送信インターフェース８２５によって実行され得る。
【００９５】
[0106]ブロック１３１５において、基地局１０５は、図２〜図６を参照しながら説明されたように、ＵＥからアクセス要求を受信する。いくつかの例では、ブロック１３１５の動作は、図８を参照しながら説明されたように、ランダムアクセスコーディネータ８３０によって実行され得る。
【００９６】
[0107]ブロック１３２０において、基地局１０５は、図２〜図６を参照しながら説明されたように、アクセス要求に応答して、小データパケットをＵＥに送信する。いくつかの例では、ブロック１３２０の動作は、図８を参照しながら説明されたように、ランダムアクセスコーディネータ８３０によって実行され得る。
【００９７】
[0108]図１４は、本開示の様々な態様による、ワイヤレス通信システムにおける小データ送信のための方法１４００を示すフローチャートを示す。方法１４００の動作は、図１〜図１１を参照しながら説明されたように、ＵＥ１１５またはそれの構成要素によって実施され得る。たとえば、方法１４００の動作は、図１０〜図１１を参照しながら説明されたように、ＵＥページングマネージャ１０１０またはＵＥページングマネージャ１１１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。
【００９８】
[0109]ブロック１４０５において、ＵＥ１１５は、図２〜図６を参照しながら説明されたように、基地局からページを受信する。いくつかの例では、ブロック１４０５の動作は、図１０を参照しながら説明されたように、ページマネージャ１０２０によって実行され得る。
【００９９】
[0110]ブロック１４１０において、ＵＥ１１５は、図２〜図６を参照しながら説明されたように、ページに応答してアクセス要求を基地局に送信することによって、ランダムアクセスプロシージャを開始する。いくつかの例では、ブロック１４１０の動作は、図１０を参照しながら説明されたように、ＵＥランダムアクセスコーディネータ１０２５によって実行され得る。
【０１００】
[0111]ブロック１４１５において、ＵＥ１１５は、図２〜図６を参照しながら説明されたように、基地局とのデータ接続のための専用無線ベアラのアクティブ化より前に、制御プレーンメッセージ中で小データパケットを受信する。いくつかの例では、ブロック１４１５の動作は、図１０を参照しながら説明されたように、ＵＥランダムアクセスコーディネータ１０２５によって実行され得る。
【０１０１】
[0112]ブロック１４２０において、ＵＥ１１５は、図２〜図６を参照しながら説明されたように、ＲＡＣＨプロシージャ中にアクセス要求に応答して、小データパケットに肯定応答する。いくつかの例では、ブロック１４２０の動作は、図１０を参照しながら説明されたように、ＵＥランダムアクセスコーディネータ１０２５によって実行され得る。
【０１０２】
[0113]したがって、方法１２００、１３００、および１４００は、ワイヤレス通信システムにおける小データ送信を提供し得る。方法１２００、１３００、および１４００は可能な実装形態を表すこと、ならびに動作およびステップは、他の実装形態が可能であるように、並べ替えられるかまたは場合によっては変更され得ることに留意されたい。いくつかの例では、方法１２００、１３００、および１４００のうちの２つまたはそれ以上からの態様が組み合わせられ得る。
【０１０３】
[0114]本明細書の説明は、例を与えるものであり、特許請求の範囲に記載された範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。また、いくつかの例に関して説明される特徴は、他の例において組み合わせられ得る。
【０１０４】
[0115]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語はしばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。ＴＤＭＡシステムは、モバイル通信用グローバルシステム（ＧＳＭ（登録商標））などの無線技術を実装し得る。直交周波数分割多元接続（ＯＦＤＭＡ）システムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ：Universal Mobile Telecommunications system）の一部である。３ＧＰＰ（登録商標）ロングタームエボリューション（ＬＴＥ）およびロングタームエボリューション（ＬＴＥ）アドバンスト（ＬＴＥ−ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ユニバーサルモバイルテレコミュニケーションズシステム（ＵＭＴＳ）、ＬＴＥ、ＬＴＥ−ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明された技法は、上述のシステムおよび無線技術、ならびに他のシステムおよび無線技術のために使用され得る。ただし、本明細書の説明では、例としてＬＴＥシステムについて説明し、上記の説明の大部分においてＬＴＥ用語が使用されるが、本技法はＬＴＥ適用例以外に適用可能である。
【０１０５】
[0116]本明細書で説明されるそのようなネットワークを含む、ＬＴＥ／ＬＴＥ−ａネットワークでは、発展型ノードＢ（ｅＮＢ）という用語は、概して、基地局を記述するために使用され得る。本明細書で説明される１つまたは複数のワイヤレス通信システムは、異なるタイプの発展型ノードＢ（ｅＮＢ）が様々な地理的領域にカバレージを与える異種ＬＴＥ／ＬＴＥ−ａネットワークを含み得る。たとえば、各ｅＮＢまたは基地局は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ用語である。
【０１０６】
[0117]基地局は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語を含み得るか、またはそのように当業者によって呼ばれることがある。基地局のための地理的カバレージエリアは、カバレージエリアの一部分のみを構成するセクタに分割され得る。本明細書で説明される１つまたは複数のワイヤレス通信システムは、異なるタイプの基地局（たとえば、マクロセル基地局またはスモールセル基地局）を含み得る。本明細書で説明されるＵＥは、マクロｅＮＢ、スモールセルｅＮＢ、リレー基地局などを含む、様々なタイプの基地局およびネットワーク機器と通信することが可能であり得る。異なる技術のための重複する地理的カバレージエリアがあり得る。
【０１０７】
[0118]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、同じまたは異なる（たとえば、認可、無認可などの）周波数帯域内でマクロセルとして動作し得る低電力基地局である。スモールセルは、様々な例によれば、ピコセルと、フェムトセルと、マイクロセルとを含み得る。ピコセルは、たとえば、小さい地理的エリアをカバーし得、ネットワークプロバイダのサービスに加入しているＵＥによる無制限アクセスを可能にし得る。また、フェムトセルは、小さい地理的エリア（たとえば、自宅）をカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。ＵＥは、マクロｅＮＢ、スモールセルｅＮＢ、リレー基地局などを含む、様々なタイプの基地局およびネットワーク機器と通信することが可能であり得る。
【０１０８】
[0119]本明細書で説明された１つまたは複数のワイヤレス通信システムは、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明された技法は、同期動作または非同期動作のいずれかのために使用され得る。
【０１０９】
[0120]本明細書で説明されたダウンリンク送信は順方向リンク送信と呼ばれることもあり、アップリンク送信は逆方向リンク送信と呼ばれることもある。たとえば、図１および図２のワイヤレス通信システム１００および２００を含む、本明細書で説明される各通信リンクは、１つまたは複数のキャリアを含み得、ここで、各キャリアは、複数のサブキャリアからなる信号（たとえば、異なる周波数の波形信号）であり得る。各被変調信号は、異なるサブキャリア上で送られ得、制御情報（たとえば、基準信号、制御チャネルなど）、オーバーヘッド情報、ユーザデータなどを搬送し得る。本明細書で説明される通信リンク（たとえば、図１の通信リンク１２５）は、周波数分割複信（ＦＤＤ）動作を使用して（たとえば、対スペクトルリソースを使用して）または時分割複信（ＴＤＤ）動作を使用して（たとえば、不対スペクトルリソースを使用して）双方向通信を送信し得る。周波数分割複信（ＦＤＤ）（たとえば、フレーム構造タイプ１）およびＴＤＤ（たとえば、フレーム構造タイプ２）のためのフレーム構造が定義され得る。
【０１１０】
[0121]添付の図面に関して本明細書に記載された説明は、例示的な構成について説明しており、実装され得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。詳細な説明は、説明された技法の理解を与えるための具体的な詳細を含む。ただし、これらの技法は、これらの具体的な詳細なしに実施され得る。いくつかの事例では、説明された例の概念を不明瞭にすることを回避するために、よく知られている構造およびデバイスがブロック図の形式で示される。
【０１１１】
[0122]添付の図では、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【０１１２】
[0123]本明細書で説明された情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１１３】
[0124]本明細書の開示に関して説明された様々な例示的なブロックおよびモジュールは、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、ＤＳＰとマイクロプロセッサとの組合せ、複数のマイクロプロセッサ、ＤＳＰコアと連携する１つまたは複数のマイクロプロセッサ、または任意の他のそのような構成）としても実装され得る。
【０１１４】
[0125]本明細書で説明された機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態は、本開示の範囲内および添付の特許請求の範囲内に入る。たとえば、ソフトウェアの性質により、上記で説明された機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０１１５】
[0126]コンピュータ可読媒体は、ある場所から別の場所へのコンピュータプログラムの転送を可能にする任意の媒体を含む、非一時的コンピュータ記憶媒体とコンピュータ通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１１６】
[0127]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
【図１】
2018518117.tif 000003
【図２】
2018518117.tif 000004
【図３】
2018518117.tif 000005
【図４】
2018518117.tif 000006
【図５】
2018518117.tif 000007
【図６】
2018518117.tif 000008
【図７】
2018518117.tif 000009
【図８】
2018518117.tif 000010
【図９】
2018518117.tif 000011
【図１０】
2018518117.tif 000012
【図１１】
2018518117.tif 000013
【図１２】
2018518117.tif 000014
【図１３】
2018518117.tif 000015
【図１４】
2018518117.tif 000016
【国際調査報告】
2018518117.tif 000017
2018518117.tif 000018
2018518117.tif 000019